(57)【特許請求の範囲】
【請求項１】
一端部が一方の躯体に支持されるとともに、他端部が他方の躯体の目地プレートスライド支持部の一部に支持され、かつ躯体間の目地部を塞ぐ目地プレートと、前記他方の躯体側に一端部が取り付けられ、前記目地プレートの上面に他端部が支持されるとともに、前記目地プレートが位置しない目地プレートスライド支持部の上方を覆うように設置されたカバープレートと、前記目地プレートの後方に、前記カバープレートの下面を支持する複数の支持具を有する複数のカバープレート支持部材とを備える床用目地装置であって、該カバープレート支持部材は、少なくとも１つの幅狭の支持具と、該幅狭の支持具が入り込む収納部を備える幅広の支持具と、通常時において前記目地プレートの他端部と該目地プレート側の端部に位置する支持具の間隔、隣り合う複数の支持具の間隔、及び前記目地プレートスライド支持部と該目地プレートスライド支持部側の端部に位置する支持具の間隔を所定の間隔に保つように設けられた伸縮可能な連結具とからなり、地震によって目地部が狭くなるように揺れ動いた際に、前記幅狭の支持具が幅広の支持具の収納部に入り込むことを特徴とする床用目地装置。
【請求項２】
前記複数のカバープレート支持部材は、バー部材によって前後方向に所定間隔を有して連結されていることを特徴とする請求項１に記載の床用目地装置。
【請求項３】
前記連結具は前記目地プレートの他端部と該目地プレート側の端部に位置する支持具の前記バー部材、隣り合う複数の支持具に取り付けられたバー部材同士、及び前記目地プレートスライド支持部と該目地プレートスライド支持部側の端部に位置する支持具のバー部材にそれぞれ取り付けられていることを特徴とする請求項２に記載の床用目地装置。
【請求項４】
前記目地プレートスライド支持部に複数のガイドレールを設け、該複数のガイドレールに前記複数のカバープレート支持部材をそれぞれ左右方向にスライド移動に設けたことを特徴とする請求項１に記載の床用目地装置。
【発明の詳細な説明】
【技術分野】
【０００１】
本発明は左右の躯体間の目地部を塞ぐ床用目地装置に関する。
【背景技術】
【０００２】
従来、この種の床用目地装置としては、「目地部を介して設けられた左右の床躯体の一方の床躯体の目地部側の床面に形成された目地プレートスライド支持凹部と、この目地プレートスライド支持凹部に左右方向に案内できるように所定間隔で配置された複数個のガイドレールと、前記目地プレートスライド支持凹部の左右方向の中央部である前記複数個のガイドレールの左右方向の中央部に先端部がスライド移動可能に支持され、後端部が前記他方の床躯体の目地部側の床面に、該床面の上面と上面がほぼ同一面となるように取付けられた床目地プレートと、この床目地プレートの先端部がスライド移動できるように、前記目地プレートスライド支持凹部を覆うカバープレートと、前記床目地プレートの先端部と前記目地プレートスライド支持凹部の反目地部側端部との間の前記ガイドレールに所定間隔で配置された、前記カバープレートにかかる荷重を支持する複数個の支持体、この支持体を伸縮可能に接続する、一端が前記床目地プレートの先端部に取付けられ、他端が前記目地プレートスライド支持凹部の反目地部側に取付けられた伸縮部材とからなるカバープレート支持部材とで構成されていることを特徴とする床用目地装置。」が知られている（特許文献１参照）。
【０００３】
しかしながら、このような床用目地装置は、カバープレートにかかる荷重を支持する複数個の支持体を用いているため、地震による揺れ動き幅にその複数の支持体寸法を加えた長さの目地プレートスライド支持部を形成しなければならず、目地プレートスライド支持部の寸法が非常に大きくなってしまうという欠点があった。
目地プレートスライド支持部の寸法が非常に大きくなってしまうと施工が大変であったり、躯体強度が低下する可能性がある等の欠点もあった。
【先行技術文献】
【特許文献】
【０００４】
【特許文献１】特開２０１４−１１８７８９号公報
【発明の概要】
【発明が解決しようとする課題】
【０００５】
本発明は以上のような従来の欠点に鑑み、カバープレートにかかる荷重を支持する支持具を複数個用いても、目地プレートスライド支持部の寸法が長くなりすぎず、施工が容易な床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の床用目地装置は、一端部が一方の躯体に支持されるとともに、他端部が他方の躯体の目地プレートスライド支持部の一部に支持され、かつ躯体間の目地部を塞ぐ目地プレートと、前記他方の躯体側に一端部が取り付けられ、前記目地プレートの上面に他端部が支持されるとともに、前記目地プレートが位置しない目地プレートスライド支持部の上方を覆うように設置されたカバープレートと、前記目地プレートの後方に、前記カバープレートの下面を支持する複数の支持具を有する複数のカバープレート支持部材とを備える床用目地装置であって、該カバープレート支持部材は、少なくとも１つの幅狭の支持具と、該幅狭の支持具が入り込む収納部を備える幅広の支持具と、通常時において前記目地プレートの他端部と該目地プレート側の端部に位置する支持具の間隔、隣り合う複数の支持具の間隔、及び前記目地プレートスライド支持部と該目地プレートスライド支持部側の端部に位置する支持具の間隔を所定の間隔に保つように設けられた伸縮可能な連結具とからなり、地震によって目地部が狭くなるように揺れ動いた際に、前記幅狭の支持具が幅広の支持具の収納部に入り込むことを特徴とする。
【発明の効果】
【０００８】
以上の説明から明らかなように、本発明にあっては次に列挙する効果が得られる。
（１）請求項１に記載された発明においては、地震によって目地部が狭くなるように揺れ動いた際に、前記幅狭の支持具が幅広の支持具の挿入部に入り込むので、カバープレートにかかる荷重を支持する支持具を複数個用いても、目地プレートスライド支持部の寸法を最小限にすることができる。
（２）また、目地プレートスライド支持部の寸法を最小限にすることができるので、施工が容易であり、目地プレートスライド支持部を形成する躯体の強度を容易に確保することができる。
（３）請求項２及び請求項３に記載された各発明においても前記（１）、（２）と同様な効果が得られる。
【図面の簡単な説明】
【０００９】
図１乃至図９は本発明の第１の実施形態を示す説明図である。
図１０乃至図１２は本発明の第２の実施形態を示す説明図である。
図１３乃至図１６は本発明の第３の実施形態を示す説明図である。
図１７及び図１８は本発明の第４の実施形態を示す説明図である。
図１９及び図２０は本発明の第５の実施形態を示す説明図である。
【図１】床用目地装置の平面図。
【図２】図１の２−２線に沿う断面図。
【図３】図１の３−３線に沿う断面図。
【図４】目地プレートの説明図。
【図５】カバープレート支持部材の説明図。
【図６】幅狭の支持具の説明図。
【図７】幅広の支持具の説明図。
【図８】地震で目地部が狭くなった状態の動作説明図。
【図９】地震で目地部が広くなった状態の動作説明図。
【図１０】第２の実施形態の床用目地装置の平面図。
【図１１】図１０の１１−１１線に沿う断面図。
【図１２】地震で左右の躯体が前後方向に揺れ動いた状態の動作説明図。
【図１３】第３の実施形態の床用目地装置の平面図。
【図１４】図１３の１４−１４線に沿う断面図。
【図１５】カバープレート支持部材の説明図。
【図１６】地震で目地部が狭くなった状態の動作説明図。
【図１７】第４の実施形態の床用目地装置の平面図。
【図１８】図１７の１８−１８線に沿う断面図。
【図１９】第５の実施形態の床用目地装置の平面図。
【図２０】図１９の２０−２０線に沿う断面図。
【発明を実施するための形態】
【００１０】
以下、図面に示す本発明を実施するための形態により、本発明を詳細に説明する。なお、本明細書では図１を基準として左右方向、前（図面上方）後（図面下方）方向という。また、図２を基準として上（図面上方）下（図面下方）方向という。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
図１ないし図７に示す本発明を実施するための第１の形態において、１は左右の躯体３、４の間の目地部２を塞ぐ床用目地装置である。
【００１３】
この床用目地装置１は、図１乃至図３に示すように、目地部２を介して設けられた左右の躯体の一方の躯体３には目地プレート５の一端部５ａが支持される目地プレート支持部６が形成されている。一方、前記他方の躯体４には、目地プレート５の他端部５ｂがローラー７を介して左右方向にスライド移動可能に支持する凹所状の目地プレートスライド支持部８が形成されている。
【００１４】
この目地プレートスライド支持部８は、地震による左右の躯体の揺れ動き幅の最大量の２倍以上の寸法で水平状態で左右方向に形成されている。通常時において、目地プレート５の他端部５ｂは、この目地プレートスライド支持部８の略中央部に位置するように配置されている。
【００１５】
また、前記目地プレートスライド支持部８の上方には、一端部９ａが他方の躯体４に断面コ字状の支持部材３３を介して固定的に取り付けられ、他端部９ｂが前記目地プレート５の上面に支持され、前記目地プレートスライド支持部８を覆うカバープレート９が設けられている。このカバープレート９の他端部９ｂは、他方の躯体４の目地部側の壁面４ａと略面一となる寸法に形成されている。
【００１６】
前記目地プレートスライド支持部８の目地プレート５の後方（他方の躯体側）には、前記カバープレート９が撓まないようにカバープレートの下面を複数のカバープレート支持部材１０が設けられている。
【００１７】
前記目地プレート５は、図４に示すように、前記目地プレート支持部６に固定的に設けられた取付ピン１１によって一端部５ａが係合支持され、他端部５ｂがローラー７を介してプレートスライド支持部８に支持されている。
【００１８】
この目地プレート５は、図４に示すように、本実施の形態においては、平面視長方形状で金属材製の目地プレート本体１２と、この目地プレート本体１２の一端部の両側部に設けられ、前記取付ピン１１が挿入されるピンボックス１３と、目地プレート本体１２内へ充填されたモルタルあるいはコンクリート１４と、このモルタルあるいはコンクリート１４の上面に貼り付けられた大理石等のタイルやレンガ等の床化粧板１５と、目地プレート本体１２の他端部付近の底面に複数設けられたローラー７とで構成される。
【００１９】
なお、本実施の形態においては、目地プレート支持部６を一方の躯体３に形成したが、一方の躯体３の壁面３ａにアングル状の金具等を固定し、この金具を目地プレート支持部６としてもよい。
【００２０】
前記カバープレート９は、平面視方形状の薄板で、本実施の形態においては、金属製のプレートである。
【００２１】
前記カバープレート支持部材１０は、図５に示すように、本実施の形態においては、１つの幅狭の支持具１６と、１つの幅広の支持具１７と、前記目地プレート５の他端部５ｂと前記幅狭の支持具１６の間、幅狭の支持具１６と幅広の支持具１７の間、幅広の支持具１７と目地プレートスライド支持部８の他方の躯体側の端部（凹所の立ち上がり壁面）との間にそれぞれ設けられた伸縮可能な連結具１８とで構成されている。この連結具１８によって、通常時は目地プレート５の他端部５ｂと該目地プレート５側の端部に位置する幅狭の支持具１６の間隔、隣り合う幅狭の支持具１６と幅広の支持具１７の間隔、及び前記目地プレートスライド支持部８の端部と該目地プレートスライド支持部８側の端部に位置する幅広の支持具１７の間隔を所定の間隔に保つことができる。
【００２２】
前記幅狭の支持具１６は、図６に示すように、正面視略凸型形状で金属製薄板の一対の側板１９と、該側板１９の左右部位及び上部部位に回転可能に軸支され、その外周面が前記側板よりも外方へ位置するように設けられた３個のローラー２０と、前記側板１９の略中央部に設けられたバー部材取付部２１とで構成されている。なお、本実施の形態においては、バー部材取付部２１は透孔に形成されている。
【００２３】
幅広の支持具１７は、図７に示すように、正面視略凸型形状で金属製薄板の一対の側板２２と、該側板２２の上部部位に回転可能に軸支され、その外周面が前記側板２２よりも上方へ位置するように設けられた幅広の上部ローラー２３と、前記側板１９の前後方向の外側にそれぞれ設けられた取付板２４と、前記側板２２及び取付板２４の左右部位であって、前記側板２２及び取付板２４の間に回転可能に軸支され、その外周面が前記側板よりも外方へ位置するように設けられた４個の底部ローラー２５と、前記幅広の上部ローラー２３の下部に形成された収納部２６と、記側板２２の略中央部及びの上部に設けられた透孔状のバー部材取付部２１とで構成されている。
【００２４】
ところで、幅狭の支持具１６の上部位置のローラー２０の上端部と、幅広の支持具１７の幅広の上部ローラー２３の上端部は略同じ位置となるように設けられている。
前記収納部２６は、幅狭の支持具１６の左右の出っ張り部分が入り込める程度の幅を有するものである。
【００２５】
前記連結具１８は、本実施の形態においては、例えばコイルスプリングを用いており、この連結具１８によって、目地プレート５の他端部、幅狭の支持具１６、幅広の支持具１７及び目地プレートスライド支持部８の端部は、所定の間隔を有して設置されている。
目地プレート５の他端部と幅狭の支持具１６の間の連結具１８及び幅広の支持具１７と目地プレートスライド支持部８の端部の間の連結具１８は、その両端部が固定的に取り付けられている。
【００２６】
一方、幅狭の支持具１６と幅広の支持具１７を連結する連結具１８の両端部は、幅狭の支持具１６と幅広の支持具１７にそれぞれ回転可能に取り付けられており、幅狭の支持具１６と幅広の支持具１７の間隔がコイルスプリングの自由長よりも短くなった場合、連結具１８の両端部が回転し、連結具１８に曲げ力が働き、連結具１８が屈曲状態となる。そのため、幅狭の支持具１６は、連結具１８に動きを妨げられることなく幅広の支持具１７の収納部２６に入り込むことができる。
【００２７】
前記カバープレート支持部材１０は目地プレートスライド支持部８に前後方向に複数個設けられており、複数個の幅狭の支持具１６と複数個の幅広の支持具１７は、それぞれ前記バー部材取付部２１に取り付けられるバー部材２７によって前後方向に所定間隔を有して連結されている。このバー部材２７は、幅狭の支持具１６同士、幅広の支持具１７同士をそれぞれ連結しており、本実施の形態においては、バー部材取付部２１の透孔の周囲とバー部材２７とを溶接で固定的に取り付けている。
【００２８】
本実施の形態においては、このバー部材２７連結具１８が取り付けられているが、幅狭の支持具１６と幅広の支持具１７に連結具取付部を形成して連結具１８を取付けてもよい。
【００２９】
前記このように連結することにより、支持具１６、１７が前後方向にずれることなく、所定の位置に位置させることができ、地震によって目地部が狭くなった場合等に、幅狭の支持具１６が幅広の支持具１７に衝突等することなく、幅広の支持具１７の収納部２６に入り込むことができる。
【００３０】
地震で躯体３、４が左右方向に揺れ動き目地部２が狭くなると、図８に示すように、目地プレート５が目地プレートスライド支持部８上をスライド移動するとともに、幅狭の支持具１６が幅広の支持具１７の収納部２６に入り込み、その揺れ動きを吸収する。
地震で躯体３、４が左右方向に揺れ動き目地部２が広くなると、図９に示すように、目地プレート５が目地プレートスライド支持部８上をスライド移動するとともに、カバープレート支持部材１０の連結具１８が伸長し、その揺れ動きを吸収する。
なお、地震による揺れ動きが収まり、左右の躯体が通常時の位置に復帰すると、連結具１８の付勢力により支持具１６、１７も通常時の位置に復帰する。
【００３１】
[発明を実施するための異なる形態]
次に、図１０乃至図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３２】
図１０乃至図１２に示す本発明を実施するための第２の形態において、前記本発明を実施するための第１の形態と主に異なる点は、一方の躯体の壁面３ａに前後方向に延伸するガイドレール２８を設け、該ガイドレール２８上を前後方向にスライド移動可能に目地プレート５を設けた点で、このような床用目地装置１Ａにしても前記本発明を実施するための第１の形態と同様な作用効果が得られるとともに、前後方向の揺れ動きであっても吸収することができる。
【００３３】
本実施の形態においては、目地プレート５の一端部は、支持ローラー２９を備えるバー状の摺動部材３０をガイドレール２８に前後方向にスライド移動可能に設け、この摺動部材３０に取付ピン１１を固定するとともに、この取付ピン１１で目地プレート５を支持している。
【００３４】
なお、ガイドレール２８を形成せず、一方の躯体にレール状の目地プレート支持部を形成してもよい。
【００３５】
図１３乃至図１６に示す本発明を実施するための第３の形態において、前記本発明を実施するための第２の形態と主に異なる点は、複数の力骨３１と該複数の力骨３１の上面に固定された板状の目地プレート本体１２Ａからなる目地プレート５Ａを用い、２つの幅狭の支持具１６と１つの幅広の支持具１７を用いてカバープレート支持部材１０Ａを構成した点で、このような床用目地装置１Ｂにしても前記本発明を実施するための第１の形態と同様な作用効果が得られる。
【００３６】
なお、本実施の形態においては、目地プレート５Ａは摺動部材３０を介してガイドレール２８に支持されているが、力骨３１底部に支持ローラー２９を直接設けてガイドレール２８に支持されるようにしてもよい。
【００３７】
図１７及び図１８に示す本発明を実施するための第４の形態において、前記本発明を実施するための第１の形態と主に異なる点は、左右の躯体３、４に目地プレートスライド支持部８を形成し、目地プレート５Ｂの両端部を目地プレートスライド支持部８で支持するとともに、目地プレート５Ｂの中央部が目地部２の中央部に位置するように中央維持装置３２を備えた点で、このような床用目地装置１Ｃにしても前記本発明を実施するための第１の形態と同様な作用効果が得られる。
【００３８】
図１９及び図２０に示す本発明を実施するための第５の形態において、前記本発明を実施するための第２の形態と主に異なる点は、他方の躯体４の前後方向に側壁４ｂを備え、２つの幅狭の支持具１６と１つの幅広の支持具１７を用いたカバープレート支持部材１０Ａと、１つの幅狭の支持具１６と２つの幅広の支持具１７を用いたカバープレート支持部材１０Ｂを前後方向に交互に設け、前記目地プレート５の他端部５ｂと該目地プレート５側の端部に位置する幅狭の支持具１６又は幅広の支持具１７の前記バー部材２７、隣り合う支持具１６、１７に取り付けられたバー部材２７同士、及び前記目地プレートスライド支持部８の端部（凹所の立ち上がり壁面）と該目地プレートスライド支持部８側の端部に位置する支持具１６、１７のバー部材２７に連結具１８をそれぞれ設け、前記バー部材２７の前後方向の端部が前記方の躯体４の前後方向に側壁４ｂに当接するようにした点で、このような床用目地装置１Ｄにしても前記本発明を実施するための第２の形態と同様な作用効果が得られる。
【００３９】
なお、バー部材２７の前後方向の端部にはローラー等を設けてもよい。
本発明の実施形態においては、幅狭の支持具と幅広の支持具をそれぞれ複数個用いてカバープレート支持部材を構成してもよい。この場合幅狭の支持具と幅広の支持具は左右方向に互い違いになるように配置する。
【００４０】
また、連結具として本実施の形態においてはコイルスプリングを用いるものについて説明したが、ゴム等の弾性体やパンタグラフ状のリンク機構等を用いてもよい。
【００４１】
さらに本発明の実施の形態においては、バー部材で前後方向に支持具を連結し、幅狭の支持具と幅広の支持具が前後方向にずれないように構成したが、左右方向に延伸するガイドレールを目地プレートスライド支持部に備え、該ガイドレールに幅狭の支持具と幅広の支持具を載置し前後方向にずれないように構成してもよい。
【産業上の利用可能性】
【００４２】
本発明は床用目地装置を製造する産業で利用される。
【符号の説明】
【００４３】
１、１Ａ、１Ｂ、１Ｃ、１Ｄ：床用目地装置、
２：目地部、                      ３：一方の躯体、
４：他方の躯体、                  ５、５Ａ、５Ｂ：目地プレート、
６：目地プレート支持部、          ７：ローラー、
８：目地プレートスライド支持部、  ９：カバープレート、
１０、１０Ａ、１０Ｂ：カバープレート支持部材、
１１：取付ピン、                  １２、１２Ａ：目地プレート本体、
１３：ピンボックス、              １４：モルタルあるいはコンクリート、
１５：床化粧板、                  １６：幅狭の支持具、
１７：幅広の支持具、              １８：連結具、
１９：側板、                      ２０：ローラー、
２１：バー部材取付部、            ２２：側板、
２３：上部ローラー、              ２４：取付板、
２５：底部ローラー、              ２６：収納部、
２７：バー部材、                  ２８：ガイドレール、
２９：支持ローラー、              ３０：摺動部材、
３１：力骨、                      ３２：中央維持装置。      
【図１】
0006277218.tif 000002
【図２】
0006277218.tif 000003
【図３】
0006277218.tif 000004
【図４】
0006277218.tif 000005
【図５】
0006277218.tif 000006
【図６】
0006277218.tif 000007
【図７】
0006277218.tif 000008
【図８】
0006277218.tif 000009
【図９】
0006277218.tif 000010
【図１０】
0006277218.tif 000011
【図１１】
0006277218.tif 000012
【図１２】
0006277218.tif 000013
【図１３】
0006277218.tif 000014
【図１４】
0006277218.tif 000015
【図１５】
0006277218.tif 000016
【図１６】
0006277218.tif 000017
【図１７】
0006277218.tif 000018
【図１８】
0006277218.tif 000019
【図１９】
0006277218.tif 000020
【図２０】
0006277218.tif 000021